(57)【要約】【課題】シューズ用アウトソール構造において、前足部の前後略中央から先端までの領域で特に中足趾節関節を曲げやすくするとともに、中足趾節関節より後方の前足部後側から後足部に至る領域を安定させるようにする。【解決手段】シューズ用アウトソール１は、前足部Ｆから後足部Ｈまでの足裏面全体を支持する変形可能な軟質樹脂材からなる第１アウトソール部１０と、この第１アウトソール部１０の上側に一体的に形成され、かつ第１アウトソール部１０よりも剛性が高い硬質樹脂材からなり、中足趾節関節ＭＰより後方の前足部Ｆ後側から後足部Ｈに至る領域内の足裏面を支持する第２アウトソール部２０とを有している。【選択図】図１
2017113314.tif 000002
【特許請求の範囲】
【請求項１】
着用者の足裏面を支持するシューズ用アウトソール構造であって、
前足部から後足部までの足裏面全体を支持する変形可能な軟質樹脂材からなる第１アウトソール部と、
前記第１アウトソール部の上側に一体的に形成され、かつ該第１アウトソール部よりも剛性が高い硬質樹脂材からなり、中足趾節関節より後方の前足部後側から後足部に至る領域内の足裏面を支持する第２アウトソール部と、を備える、シューズ用アウトソール構造。
【請求項２】
請求項１に記載のシューズ用アウトソール構造において、
前記第２アウトソール部の前側部分は、第１ないし第５中足骨の前後略中央から遠位骨頭に至る領域内まで延びかつ該第１ないし第５中足骨を支持するように前記第１アウトソール部の左右両側まで延びている、シューズ用アウトソール構造。
【請求項３】
請求項１または２に記載のシューズ用アウトソール構造において、
前記第１アウトソール部の裏面には、前足部領域に複数の第１スタッド部が分散して配列された状態で設けられており、
前記第２アウトソール部の前端部は、平面視において、中足趾節関節より後方に位置する前記第１スタッド部に部分的に重なっている、シューズ用アウトソール構造。
【請求項４】
請求項１または２に記載のシューズ用アウトソール構造において、
中足趾節関節より後方の前足部後側から中足部までの領域内の前記第１アウトソール部に位置し、前記第２アウトソール部の一部を該第１アウトソール部に貫通させて裏面に突出させた前後方向に延びる左右一対のリブが設けられている、シューズ用アウトソール構造。
【請求項５】
請求項４に記載のシューズ用アウトソール構造において、
前記左右一対のリブは、前後方向の中央位置が第１ないし第５中足骨の近位骨頭付近に配置されるように構成されている、シューズ用アウトソール構造。
【請求項６】
請求項４または５に記載のシューズ用アウトソール構造において、
前記第１アウトソール部の裏面には、前足部領域に複数の第１スタッド部が、また後足部領域に複数の第２スタッド部がそれぞれ分散して配列された状態で設けられており、
前記左右一対のリブの各々は、平面視において、その前端部が中足趾節関節より後方かつ前足部領域の最後方に位置する前記第１スタッド部に部分的に重なっている一方、その後端部が後足部領域の最前方に位置する前記第２スタッド部に部分的に重なっている、シューズ用アウトソール構造。
【請求項７】
請求項１〜６のいずれか１項に記載のシューズ用アウトソール構造において、
前記第１アウトソール部の後側部分の左右両側部ないし後部から上方に踵部を覆うように延びるカウンター部が設けられており、
前記第２アウトソール部の後側部分から前記カウンター部上端よりも低い位置まで上方に延びて踵部の下側部分を支持する踵支持部が設けられている、シューズ用アウトソール構造。
【請求項８】
請求項１〜７のいずれか１項に記載のシューズ用アウトソール構造を備えた、クリーツシューズ。
【発明の詳細な説明】
【技術分野】
【０００１】
本発明は、シューズ用アウトソール構造およびそれを用いたクリーツシューズに関するものである。
【背景技術】
【０００２】
従来から、例えば特許文献１のように、剛性が互いに異なる２種の樹脂材を一体的に形成したシューズ用アウトソール構造が知られている。
【０００３】
具体的に、特許文献１には、スパイクを備えた靴底が開示されており、この靴底は、ヤング率の小さい第１樹脂およびこの第１樹脂よりもヤング率の大きい第２樹脂が一体に形成されたもので、第１樹脂は、前足部の中足趾節関節（いわゆるＭＰ関節）から爪先の間にわたって設けられ、第２樹脂は、足の内側の第１指に沿って帯状に設けられた第１帯状部および足の外側の第５指に沿って帯状に設けられた第２帯状部を有する。そして、この第１帯状部は、前足部の後端から第１指の基節骨近位骨頭の部位まで設けられている一方、第２帯状部は、前足部の後端から第５指の基節骨近位骨頭の部位まで設けられている。
【先行技術文献】
【特許文献】
【０００４】
【特許文献１】特許第４０２０８７９号公報
【発明の概要】
【発明が解決しようとする課題】
【０００５】
ところで、例えばサッカー、ラグビー、アメリカンフットボール、野球などの瞬発的な動作を要するスポーツに用いられるクリーツシューズの特性として、着用者の足における中足趾節関節を含めた前足部の前後略中央から先端までの領域では、運動時に前足部の各関節（特に中足趾節関節）が曲げやすくなる一方、中足趾節関節より後方の前足部後側から後足部に至る領域では、方向転換などの瞬発的な動作時に生じる足への衝撃を軽減して、前足部後側から後足部に至る領域をシューズ内に安定させることが求められている。
【０００６】
しかしながら、特許文献１の靴底では、第１帯状部および第２帯状部の各々が中足趾節関節を越えて基節骨近位骨頭の部位まで延びていることから、キック時の背屈が主に爪先部の範囲で生じるため、効率良く走行の推進力を発生させるものの、前足部は中足趾節関節で屈曲することが抑制されている。すなわち、特許文献１の靴底を備えたクリーツシューズでは、中足趾節関節より後方の前足部後側から後足部に至る領域を安定させ、かつ前足部における中足趾節関節を柔軟に曲げることが容易ではなかった。このため、サッカーなどの競技中において繰り返される瞬発的な動作により、着用者の足（特に中足趾節関節付近）に物理的なストレスが生じてしまうおそれがあった。
【０００７】
本発明は斯かる点に鑑みてなされたものであり、その目的は、前足部の前後略中央から先端までの領域で特に中足趾節関節を曲げやすくするとともに、中足趾節関節より後方の前足部後側から後足部に至る領域を安定させるようにすることにある。
【課題を解決するための手段】
【０００８】
上記の目的を達成するために、本発明の第１の形態は、着用者の足裏面を支持するシューズ用アウトソール構造であって、前足部から後足部までの足裏面全体を支持する変形可能な軟質樹脂材からなる第１アウトソール部と、第１アウトソール部の上側に一体的に形成され、かつ該第１アウトソール部よりも剛性が高い硬質樹脂材からなり、中足趾節関節より後方の前足部後側から後足部に至る領域内の足裏面を支持する第２アウトソール部と、を備えることを特徴とする。
【０００９】
この第１の形態において、中足趾節関節を含めた前足部の前後略中央から先端までの領域では、変形可能な軟質樹脂材からなる第１アウトソール部により、運動時に前足部の各関節（特に中足趾節関節）を柔軟に曲げることができる。これに対して、中足趾節関節より後方の前足部後側から後足部に至る領域では、第１アウトソール部よりも剛性が高い硬質樹脂材からなる第２アウトソール部により、十分な曲げ剛性を保持しつつ、方向転換などの瞬発的な動作時に生じる足への衝撃を軽減して、シューズ内に前足部後側から後足部に至る領域を安定させることができる。そして、第２アウトソール部が第１アウトソール部の上側に一体的に形成されているため、中足趾節関節を含めた前足部の前後略中央から先端までの領域の上記効果と、中足趾節関節より後方の前足部後側から後足部に至る領域の上記効果とを両立させることが可能となる。
【００１０】
第２の形態は、第１の形態において、第２アウトソール部の前側部分は、第１ないし第５中足骨の前後略中央から遠位骨頭に至る領域内まで延びかつ該第１ないし第５中足骨を支持するように第１アウトソール部の左右両側まで延びていることを特徴とする。
【００１１】
この第２の形態では、第１アウトソール部により特に中足趾節関節が曲げやすい状態を維持しつつ、高剛性の硬質樹脂材からなる第２アウトソール部により特に第１ないし第５中足骨をシューズ内に安定させることができる。
【００１２】
第３の形態は、第１または第２の形態において、第１アウトソール部の裏面には、前足部領域に複数の第１スタッド部が分散して配列された状態で設けられており、第２アウトソール部の前端部は、平面視において、中足趾節関節より後方に位置する第１スタッド部に部分的に重なっていることを特徴とする。
【００１３】
この第３の形態では、第１スタッド部により地面へのグリップ性を高めることができる。さらに、第２アウトソール部の前端部が平面視において中足趾節関節より後方に配置された第１スタッド部に部分的に重なっていることから、第１アウトソール部と第２アウトソール部との境界が中足趾節関節より後方に位置する第１スタッド部上に配置されることになる。すなわち、第１および第２アウトソール部の境界は、屈曲による変形が極めて小さい第１スタッド部上に重なっている。このため、剛性が互いに異なる第１および第２アウトソール部の境界で応力が集中しにくくなり、その結果、この境界で第２アウトソール部が第１アウトソール部から剥がれにくくなるようにすることができる。
【００１４】
第４の形態は、第１または第２の形態において、中足趾節関節より後方の前足部後側から中足部までの領域内の第１アウトソール部に位置し、第２アウトソール部の一部を該第１アウトソール部に貫通させて裏面に突出させた前後方向に延びる左右一対のリブが設けられていることを特徴とする。
【００１５】
この第４の形態では、高剛性の第２アウトソール部の一部からなる左右一対のリブによって、アウトソール構造の全体的な軽量化を図りつつ、中足趾節関節より後方の前足部後側から中足部までの領域における曲げ剛性を向上させることができる。その結果、着用者の中足趾節関節より後方の前足部後側から中足部までの領域における物理的ストレスを抑制することが可能となる。
【００１６】
第５の形態は、第４の形態において、左右一対のリブは、前後方向の中央位置が第１ないし第５中足骨の近位骨頭付近に配置されるように構成されていることを特徴とする。
【００１７】
一般的に、サッカーなどのスポーツでは、走行中における方向転換の際に主に前足部でブレーキをかけて捻る動作を繰り返すことで中足骨（特に第５中足骨）の近位骨頭付近に物理的なストレスが蓄積することが知られている。この第５の形態では、左右一対のリブの前後方向における中央位置が第１ないし第５中足骨の近位骨頭付近に配置されるように構成されているため、第１ないし第５中足骨の近位骨頭付近における曲げ剛性をより一層向上させることができる。その結果、中足骨（特に第５中足骨）の近位骨頭付近における物理的なストレスを低減することが可能となる。
【００１８】
第６の形態は、第４または第５の形態において、第１アウトソール部の裏面には、前足部領域に複数の第１スタッド部が、また後足部領域に複数の第２スタッド部がそれぞれ分散して配列された状態で設けられており、左右一対のリブの各々は、平面視において、その前端部が中足趾節関節より後方かつ前足部領域の最後方に位置する第１スタッド部に部分的に重なっている一方、その後端部が後足部領域の最前方に位置する第２スタッド部に部分的に重なっていることを特徴とする。
【００１９】
この第６の形態では、第１および第２スタッド部により地面へのグリップ性を高めることができる。それと同時に、左右一対のリブの各々が中足趾節関節より後方かつ前足部領域の最後方に位置する第１スタッド部および後足部領域の最前方に位置する第２スタッド部にそれぞれ連続しているため、特に中足部領域の曲げ剛性をより一層向上させることができる。
【００２０】
第７の形態は、第１〜第６のいずれか１つに形態において、第１アウトソール部の後側部分の左右両側部ないし後部から上方に踵部を覆うように延びるカウンター部が設けられており、第２アウトソール部の後側部分からカウンター部上端よりも低い位置まで上方に延びて踵部の下側部分を支持する踵支持部が設けられていることを特徴とする。
【００２１】
この第７の形態では、高剛性の踵支持部によって、踵部の下側部分を安定させることができる。さらに、踵支持部よりも上方に延びる低剛性のカウンター部によって、踵部周囲が柔軟に保持されるので、運動時に着用者の足に痛みが生じないようにすることができる。
【００２２】
第８の形態は、第１〜７の形態のいずれか１つのシューズ用アウトソール構造を備えたクリーツシューズであることを特徴とする。
【００２３】
この第８の形態では、第１〜７の形態のいずれか１つの形態と同様の効果を奏するクリーツシューズを提供することができる。
【発明の効果】
【００２４】
以上説明したように、本発明によると、中足趾節関節を含めた前足部の前後略中央から先端までの領域では、運動時に前足部の各関節（特に中足趾節関節）を柔軟に曲げることができる一方、中足趾節関節より後方の前足部後側から後足部に至る領域では、十分な曲げ剛性を保持しつつ、瞬発的な動作時に生じる足への衝撃を軽減して、シューズ内に前足部後側から後足部に至る領域を安定させることができる。
【図面の簡単な説明】
【００２５】
【図１】図１は、本発明の実施形態に係るシューズ用アウトソールを示す斜視図である。
【図２】図２は、本発明の実施形態に係るシューズ用アウトソールを示す平面図である。
【図３】図３は、アウトソールと足の骨格構造との位置関係を模式的に示す平面図である。
【図４】図４は、本発明の実施形態に係るシューズ用アウトソールを示す背面図である。
【図５】図５は、本発明の実施形態に係るシューズ用アウトソールを示す左側面図である。
【図６】図６は、本発明の実施形態に係るシューズ用アウトソールを示す底面図である。
【図７】図７は、アウトソールと足の骨格構造との位置関係を模式的に示す底面図である。
【図８】図８は、図２のVIII−VIII線拡大断面図である。
【図９】図９は、図２のIX−IX線断面図である。
【図１０】図１０は、図２のX−X線拡大断面図である。
【図１１】図１１は、図４のXI−XI線拡大断面図である。
【発明を実施するための形態】
【００２６】
以下、本発明の実施形態を図面に基づいて詳細に説明する。以下の実施形態の説明は、本質的に例示に過ぎず、本発明、その適用物或いはその用途を制限することを意図するものではない。
【００２７】
図１〜図１１は、本発明の実施形態に係るシューズ用アウトソール１を示し、このアウトソール１を備えたシューズは、例えばサッカー、ラグビー、アメリカンフットボール、野球などの瞬発的な動作が要求されるスポーツに用いられるクリーツシューズである。ここで、シューズ用アウトソール１は、左足用のアウトソールのみを例示している。右足用のアウトソールは、左足用アウトソールと左右対称になるように構成されているので、以下の説明では左足用アウトソールのみについて説明し、右足用アウトソールの説明は省略する。また、以下の説明において、上方（上側）および下方（下側）とはアウトソール１の上下方向の位置関係を表し、前方（前側）および後方（後側）とはアウトソール１の前後方向の位置関係を表し、左側および右側とはアウトソール１の左右方向の位置関係を表すものとする。さらに、以下の説明において、人体の足における中足骨の近位骨頭とは、体幹（すなわち身体の頭部と四肢を除く胴体部分）に近い側における中足骨の骨頭部分を指し、中足骨の遠位骨頭とは、体幹に遠い側における中足骨の骨頭部分を指す。
【００２８】
図１〜図３に示すように、シューズ用アウトソール１は、着用者の足裏面を支持するものであり、このアウトソール１は、前足部Ｆから後足部Ｈまでの足裏面全体を支持する第１アウトソール部１０を備えている。この第１アウトソール部１０は、例えばナイロン系エラストマーなどの軟質樹脂材からなり、薄肉のプレート状に形成されている。すなわち、第１アウトソール部１０は、比較的曲げ剛性が低く、外力を受けることによって変形可能に構成されている。
【００２９】
また、第１アウトソール部１０の表面（上面）には、中足趾節関節ＭＰを含めた前足部Ｆの前後略中央から先端までの領域で足裏面に当接する第１足裏当接面１１が形成されている。なお、中足趾節関節ＭＰとは、中足骨ＭＴ１〜５の遠位骨頭と基節骨ＰＰ１〜５の近位骨頭との間に存在し、中足骨ＭＴ１〜５と基節骨ＰＰ１〜５とをつなぐ半関節である。さらに、図９にも示すように、第１アウトソール部１０の表面には、後述する第１および第２スタッド１５，１６のそれぞれに対応する位置に凹陥状に形成された丸孔部１２，１２，…が複数設けられている。
【００３０】
図１〜図５に示すように、第１アウトソール部１０の前側および左右両側における外周縁部には、上方に延びる立ち上がり部１３が形成されている。この立ち上がり部１３および後述するカウンター部１４の内側面には、シューズに備えられるアッパー（図示せず）下部の外側面が固着されるようになっている。
【００３１】
図１〜図５に示すように、第１アウトソール部１０の後側部分には、立ち上がり部１３に連続して立ち上がり部１３よりも上方に延びるカウンター部１４が設けられている。このカウンター部１４は、踵骨ＣＢ（踵部）を左右両側部および後部から覆うように形成されており、その内側面が外方に膨らむように湾曲状に形成されている。また、図１１にも示すように、カウンター部１４の左右両側には、踵骨ＣＢよりも上方に突出して踵骨ＣＢ両側を覆う側壁部１４ａ，１４ａが形成されている一方、カウンター部１４の後側には、側壁部１４ａ，１４ａに連続して踵骨ＣＢ後側を覆う後壁部１４ｂが形成されている。この後壁部１４ｂは、その上端が踵骨ＣＢ上端付近まで延びており、下方に向かって後側に膨らむように円弧状に湾曲している。このように、カウンター部１４は、両側壁部１４ａ，１４ａによって踵部両側をしっかり保持して踵骨ＣＢにおける左右方向のひねり動作を抑制するとともに、後壁部１４ｂによって足首の屈曲動作が妨げられない範囲で踵部後側を保持するように構成されている。
【００３２】
図５〜図７に示すように、第１アウトソール部１０の前足部Ｆ後側から中足部Ｍまでの領域には、後述するリブ２２，２２の各々を下方に突出させるためのリブ貫通孔１８ａ，１８ａが前後方向に延びるように形成され、このリブ貫通孔１８ａ，１８ａの各々に隣接してリブ２２，２２の各々を左右両側から挟み込むように下方に盛り上がったリブ保持部１８ｂ，１８ｂ，…が設けられている（図９および図１０参照）。
【００３３】
第１アウトソール部１０の裏面であって前足部領域Ｆに対応する位置には、下方に突出した円柱状の複数（本実施形態では８つ）の第１スタッド部１５，１５，…が分散して配列された状態で設けられている。具体的には、第１スタッド部１５，１５，…は、左右（内甲側および外甲側）のそれぞれに形成されており、これら左右一対の第１スタッド部１５，１５が前後方向に所定の間隔をあけて並設されている。
【００３４】
また、前足部領域Ｆの略中心（図７に示す第２基節骨ＰＰ２および第３基節骨ＰＰ３付近）には、底面視で略楕円形状の第３スタッド部１７が設けられている。
【００３５】
さらに、第１アウトソール部１０の裏面であって後足部領域Ｈに対応する位置には、下方に突出した円柱状の複数（本実施形態では４つ）の第２スタッド部１６，１６，…が分散して配列された状態で設けられている。具体的には、第２スタッド部１６，１６，…は、左右（内甲側および外甲側）のそれぞれに形成されており、これら左右一対の第２スタッド部１６，１６が前後方向に所定の間隔をあけて並設されている。
【００３６】
第１〜第３スタッド部１５，１６，１７の各々は、例えば熱可塑性ポリウレタンなどの耐摩耗性の高い樹脂材からなる。また、図９に示すように、第１および第２スタッド部１５，１６の各々は、第１アウトソール部１０の各丸孔部１２，１２，…の位置に対応するようにそれぞれ配置されて、例えば射出成形により第１アウトソール部１０の裏面に一体的に成形されている。このような第１〜第３スタッド部１５，１６，１７によって、アウトソール１における地面へのグリップ性が高められる。
【００３７】
次に、図１〜図３に示すように、本発明の特徴として、アウトソール１は、中足趾節関節ＭＰを含まない領域の足裏面、すなわち中足趾節関節ＭＰより後方の前足部Ｆ後側から後足部Ｈに至る領域内の足裏面を支持する第２アウトソール部２０を備えている。この第２アウトソール部２０は、第１アウトソール部１０よりも剛性が高い硬質樹脂材からなり、例えばグラスファイバーが含有されたナイロン等からなる。すなわち、第２アウトソール部２０は、第１アウトソール部１０よりも曲げ剛性が高く、外力を受けても変形しにくいように構成されている。
【００３８】
第２アウトソール部２０は、中足趾節関節ＭＰより後方の前足部Ｆ後側から後足部Ｈに至る領域内の足裏面に当接する第２足裏当接面２１が形成されている。図８に示すように、第２アウトソール部２０は、第２足裏当接面２１が第１アウトソール部１０の第１足裏当接面１１と面一になるように、例えば射出成形によって第１アウトソール部１０の上側に一体的に成形されている。すなわち、本実施形態のアウトソール１では、中足趾節関節ＭＰを含めた前足部Ｆの前後略中央から先端までの領域において、変形可能な軟質樹脂材からなる第１アウトソール部１０の第１足裏当接面１１がアウトソール１上面に露出する一方、中足趾節関節ＭＰより後方の前足部後側から後足部に至る領域において、高剛性の硬質樹脂材からなる第２アウトソール部２０の第２足裏当接面２１がアウトソール１上面に露出するように構成されている。
【００３９】
図３に示すように、第２アウトソール部２０の前側部分は、前後方向において、第１ないし第５中足骨ＭＴ１〜５の前後略中央から遠位骨頭に至る領域内まで延びている。さらに、第２アウトソール部２０の前側部分は、左右方向において、第１ないし第５中足骨ＭＴ１〜５を支持するように第１アウトソール部１０の左右両側まで延びている。
【００４０】
図５〜図７に示すように、第１アウトソール部１０の裏面には、中足趾節関節ＭＰより後方の前足部Ｆ後側から中足部Ｍまでの領域内で前後方向に延びる左右一対のリブ２２，２２が突出している。図９および図１０に示すように、リブ２２，２２の各々は、第２アウトソール部２０の一部が下側に向かって凸状に膨らむように形成されており、第１アウトソール部１０を貫通してその下方に突出した構成となっている。より具体的には、リブ２２，２２の各々は、その下端部が第１アウトソール部１０のリブ貫通孔１８ａ，１８ａを貫通した状態で第１アウトソール部１０の下方に突出するように構成されている。このような第２アウトソール部２０の一部からなるリブ２２，２２では、第１アウトソール部１０の下面に別部材のリブを設ける構成に比べて、アウトソール１の足裏支持面（本実施形態では第２足裏支持面２１）からの突出量をより長く形成することが可能となり、アウトソール１の全体的な軽量化を図りつつ、第２アウトソール部２０の曲げ剛性を向上させることができる。
【００４１】
図５および図９に示すように、リブ２２，２２の各々は、その下端部が第１アウトソール部１０および最後方の第１スタッド部１５の接合箇所と、第１アウトソール部１０および最前方の第２スタッド部１６の接合箇所とを結んだ接合位置Ｊ（図５および図９の一点鎖線を参照）よりも上方に位置するように配設されている。これにより、リブ２２，２２の各々の突出量を最大限に確保しつつ、第１および第２スタッド部１５，１６のグリップ性を損なわないようにすることが可能となる。そして、図６および図１０に示すように、リブ２２，２２の各々は、第１アウトソール部１０のリブ保持部１８ｂ，１８ｂにより左右から挟み込まれて、第１アウトソール部１０に強固に保持されている。
【００４２】
また、図１〜３に示すように、リブ２２，２２の各々の内部（凹部内）には、ハニカム構造２４，２４が形成されている。このハニカム構造２４は、第２アウトソール部２０の第２足裏当接面２１から下方に向けて陥没した正六角形状の複数の隔壁部２３，２３，…（図１０参照）が隙間なく並べられた構造となっている。このハニカム構造２４により、リブ２２内が中空状になってリブ２２の重さが抑えられるとともに、中足趾節関節ＭＰより後方の前足部Ｆ後側から中足部Ｍまでの領域内の曲げ剛性がより一層高められる。なお、図９に示したハニカム構造２４，２４については、図示の便宜上、隔壁部２３，２３，…を省略している。
【００４３】
図６および図７に示すように、内甲側に設けられたリブ２２は、中足趾節関節ＭＰより後方かつ前足部領域Ｆの最後方に位置する内甲側の第１スタッド部１５と後足部領域Ｈの最前方に位置する内甲側の第２スタッド部１６との間に亘って前後方向に沿って延び、中央部分が内甲側から外甲側に向かって膨らむように湾曲している。また、外甲側に設けられたリブ２２は、中足趾節関節ＭＰより後方かつ前足部領域Ｆの最後方に位置する外甲側の第１スタッド部１５と後足部領域Ｈの最前方に位置する外甲側の第２スタッド部１６との間に亘り、前後方向に沿って略直線状に延びている。さらに、リブ２２，２２の各々は、前後方向の中央位置が第１ないし第５中足骨ＭＴ１〜５の近位骨頭付近に配置されるように構成されている。
【００４４】
ここで、図１〜図３に示すように、第２アウトソール部２０の前端部は、平面視において、中足趾節関節ＭＰより後方に位置する第１スタッド部１５，１５に部分的に重なっている。より具体的には、図９に示すように、リブ２２，２２内部に形成されたハニカム構造２４，２４の各々の前端部は、前足部領域Ｆの最後方に配置された第１スタッド部１５，１５の位置に対応する第１アウトソール部１０の丸孔部１２，１２の前後略中央より後側となる半円部分をそれぞれ覆っている。他方、ハニカム構造２４，２４の各々の後端部は、後足部領域Ｈの最前方に配置された第２スタッド部１６，１６の位置に対応する第１アウトソール部１０の丸孔部１２，１２の前後略中央より前側となる半円部分を覆っている。すなわち、リブ２２，２２の各々は、中足趾節関節ＭＰより後方かつ前足部領域Ｆの最後方に位置する第１スタッド部１５，１５および後足部領域Ｈの最前方に位置する第２スタッド部１６，１６にそれぞれ連続している。
【００４５】
上記丸孔部１２の後側の半円部分には、上記ハニカム構造２４，２４の各々の後端に隣接して、半円形状の穴部２５，２５が第２アウトソール部２０にそれぞれ形成されている。また、後足部領域Ｈの最後方の第２スタッド部１６，１６に対応する位置には、第１アウトソール部１０の丸孔部１２，１２と同じ大きさに形成された円状の穴部２６，２６が第２アウトソール部２０にそれぞれ形成されている。
【００４６】
次に、図１〜３に示すように、第２アウトソール部２０の後側部分には、カウンター部１４まで延びて踵骨ＣＢ（踵部）の下側部分を支持する踵支持部２７が設けられている。図１１に示すように、この踵支持部２７は、その表面がカウンター部１４の表面と面一になるようにカウンター部１４の上側に一体的に形成されている。そして、踵支持部２７の左右両側には、上方に突出して踵骨ＣＢ両側の下側部分を覆う側壁部２７ａ，２７ａが形成されている一方、踵支持部２７の後側には、側壁部２７ａ，２７ａに連続して踵骨ＣＢ後側の下側部分を覆う後壁部２７ｂが形成されている。
【００４７】
踵支持部２７は、カウンター部１４上端よりも低い位置まで上方に延びるように形成されている。より具体的には、図１１に示すように、踵支持部２７の後壁部２７ｂ上端は、側面視で踵骨ＣＢ後端が後方に向かって最も盛り上がった部分の位置（すなわち図１１に示す一点鎖線ｈの位置）まで上方に延びている。また、踵支持部２７の側壁部２７ａ上端は、後壁部２７ｂ上端よりも上方に延びている。
【００４８】
以上のように、本実施形態に係るシューズ用アウトソール１によると、中足趾節関節ＭＰを含めた前足部Ｆの前後略中央から先端までの領域では、変形可能な軟質樹脂材からなる第１アウトソール部１０により、運動時に前足部領域Ｆに存在する各関節（特に中足趾節関節ＭＰ）を柔軟に曲げることができる。これに対して、中足趾節関節ＭＰより後方の前足部Ｆ後側から後足部Ｈに至る領域では、第１アウトソール部１０よりも剛性が高い硬質樹脂材からなる第２アウトソール部２０により、十分な曲げ剛性を保持しつつ、方向転換などの瞬発的な動作時に生じる足への衝撃を軽減して、シューズ内に前足部Ｆ後側から後足部Ｈに至る領域を安定させることができる。そして、本実施形態のアウトソール１では、第２アウトソール部２０が第１アウトソール部１０の上側に一体的に形成されているため、中足趾節関節ＭＰを含めた前足部Ｆの前後略中央から先端までの領域の上記効果と、中足趾節関節ＭＰより後方の前足部Ｆ後側から後足部Ｈに至る領域の上記効果とを両立させることが可能となる。
【００４９】
また、第２アウトソール部２０の前側部分が第１ないし第５中足骨の前後略中央から遠位骨頭に至る領域内まで延びかつ第１ないし第５中足骨ＭＴ１〜５を支持するように第１アウトソール部１０の左右両側まで延びているため、第１アウトソール部１０により特に中足趾節関節ＭＰが曲げやすい状態を維持しつつ、高剛性の第２アウトソール部２０により特に第１ないし第５中足骨ＭＴ１〜５をシューズ内に安定させることができる。
【００５０】
また、第２アウトソール部２０の前端部が平面視において中足趾節関節ＭＰより後方に位置する第１スタッド部１５，１５に部分的に重なっていることから、第１アウトソール部１０と第２アウトソール部２０との境界が中足趾節関節ＭＰより後方に位置する第１スタッド部１５，１５上に配置されることになる。すなわち、第１および第２アウトソール部１０，２０の境界は、屈曲による変形が極めて小さい第１スタッド部１５，１５上に重なっている。このため、剛性が互いに異なる第１および第２アウトソール部１０，２０の境界で応力が集中しにくくなり、その結果、この境界で第２アウトソール部２０が第１アウトソール部１０から剥がれにくくなる。
【００５１】
また、本実施形態では、高剛性の第２アウトソール部２０の一部からなる左右一対のリブ２２，２２により、アウトソール１の全体的な軽量化を図りつつ、中足趾節関節ＭＰより後方の前足部Ｆ後側から中足部Ｍまでの領域における曲げ剛性を向上させることができる。その結果、着用者の中足趾節関節ＭＰより後方の前足部Ｆ後側から中足部Ｍまでの領域における物理的ストレスを抑制することが可能となる。
【００５２】
また、リブ２２，２２の前後方向の中央位置が第１ないし第５中足骨ＭＴ１〜５の近位骨頭付近に配置されているため、第１ないし第５中足骨ＭＴ１〜５の近位骨頭付近における曲げ剛性をより一層向上させることができる。その結果、走行中における方向転換の際に前足部Ｆでブレーキをかけて捻る動作を繰り返すことで中足骨ＭＴ（特に第５中足骨ＭＴ５）の近位骨頭付近における物理的なストレスを低減することが可能となる。
【００５３】
そして、リブ２２，２２の各々は、平面視において、その前端部が中足趾節関節ＭＰより後方かつ前足部領域Ｆの最後方に位置する第１スタッド部１５，１５に部分的に重なっている一方、その後端部が後足部領域Ｈの最前方に位置する第２スタッド部１６，１６に部分的に重なっている。すなわち、リブ２２，２２の各々が中足趾節関節ＭＰより後方かつ前足部領域Ｆの最後方に位置する第１スタッド部１５，１５および後足部領域Ｈの最前方に位置する第２スタッド部１６，１６にそれぞれ連続している。このため、特に中足部領域Ｍの曲げ剛性をより一層向上させることができる。
【００５４】
また、本実施形態では、高剛性の踵支持部２７によって、踵骨ＣＢ（踵部）の下側部分を安定させることができる。さらに、低剛性のカウンター部１４によって、踵部周囲が柔軟に保持されるので、着用者の足に痛みが生じないようにすることができる。
【００５５】
［その他の実施形態］
上記実施形態では、平面視で内甲側のリブ２２前端部が前足部領域Ｆの最後方に位置する第１スタッド部１５に部分的に重なっている形態を示したが、この形態に限られない。例えば、内甲側のリブ２２前端部が図１〜図３に示すような前足部領域Ｆの内甲側の前から３つ目に位置する第１スタッド部１５に部分的に重なっていてもよい。要は、第２アウトソール部２０の前端部が平面視で中足趾節関節ＭＰより後方に位置する第１スタッド部１５に部分的に重なっている形態であればよい。
【００５６】
また、上記実施形態では、カウンター部１４および踵支持部２７を設けた形態を示したが、この形態に限られない。すなわち、アウトソール１（アウトソール構造）は、カウンター部１４を有しない第１アウトソール部１０と、踵支持部２７を有しない第２アウトソール部２０と、を備える形態であってもよい。
【００５７】
以上、本発明についての実施形態を説明したが、本発明は上述の実施形態のみに限定されず、発明の範囲内で種々の変更が可能である。
【産業上の利用可能性】
【００５８】
本発明は、例えばサッカー、ラグビー、アメリカンフットボール、野球などの瞬発的な動作を要するスポーツに用いられるクリーツシューズとして産業上の利用が可能である。
【符号の説明】
【００５９】
１：アウトソール（シューズ用アウトソール構造）
１０：第１アウトソール部
１４：カウンター部
１５：第１スタッド部
１６：第２スタッド部
２０：第２アウトソール部
２２：リブ
２４：ハニカム構造
２７：踵支持部
Ｆ：前足部
Ｍ：中足部
Ｈ：後足部
ＭＰ：中足趾節関節
ＰＰ：基節骨
ＭＴ：中足骨
ＣＢ：踵骨（踵部）
【図１】
2017113314.tif 000003
【図２】
2017113314.tif 000004
【図３】
2017113314.tif 000005
【図４】
2017113314.tif 000006
【図５】
2017113314.tif 000007
【図６】
2017113314.tif 000008
【図７】
2017113314.tif 000009
【図８】
2017113314.tif 000010
【図９】
2017113314.tif 000011
【図１０】
2017113314.tif 000012
【図１１】
2017113314.tif 000013
【手続補正書】
【提出日】平成29年3月29日(2017.3.29)
【手続補正１】
【補正対象書類名】明細書
【補正対象項目名】全文
【補正方法】変更
【補正の内容】
【発明の詳細な説明】
【技術分野】
【０００１】
本発明は、シューズ用アウトソール構造およびそれを用いたクリーツシューズに関するものである。
【背景技術】
【０００２】
従来から、例えば特許文献１のように、剛性が互いに異なる２種の樹脂材を一体的に形成したシューズ用アウトソール構造が知られている。
【０００３】
具体的に、特許文献１には、スパイクを備えた靴底が開示されており、この靴底は、ヤング率の小さい第１樹脂およびこの第１樹脂よりもヤング率の大きい第２樹脂が一体に形成されたもので、第１樹脂は、前足部の中足趾節関節（いわゆるＭＰ関節）から爪先の間にわたって設けられ、第２樹脂は、足の内側の第１指に沿って帯状に設けられた第１帯状部および足の外側の第５指に沿って帯状に設けられた第２帯状部を有する。そして、この第１帯状部は、前足部の後端から第１指の基節骨近位骨頭の部位まで設けられている一方、第２帯状部は、前足部の後端から第５指の基節骨近位骨頭の部位まで設けられている。
【先行技術文献】
【特許文献】
【０００４】
【特許文献１】特許第４０２０８７９号公報
【発明の概要】
【発明が解決しようとする課題】
【０００５】
ところで、例えばサッカー、ラグビー、アメリカンフットボール、野球などの瞬発的な動作を要するスポーツに用いられるクリーツシューズの特性として、着用者の足における中足趾節関節を含めた前足部の前後略中央から先端までの領域では、運動時に前足部の各関節（特に中足趾節関節）が曲げやすくなる一方、中足趾節関節より後方の前足部後側から後足部に至る領域では、方向転換などの瞬発的な動作時に生じる足への衝撃を軽減して、前足部後側から後足部に至る領域をシューズ内に安定させることが求められている。
【０００６】
しかしながら、特許文献１の靴底では、第１帯状部および第２帯状部の各々が中足趾節関節を越えて基節骨近位骨頭の部位まで延びていることから、キック時の背屈が主に爪先部の範囲で生じるため、効率良く走行の推進力を発生させるものの、前足部は中足趾節関節で屈曲することが抑制されている。すなわち、特許文献１の靴底を備えたクリーツシューズでは、中足趾節関節より後方の前足部後側から後足部に至る領域を安定させ、かつ前足部における中足趾節関節を柔軟に曲げることが容易ではなかった。このため、サッカーなどの競技中において繰り返される瞬発的な動作により、着用者の足（特に中足趾節関節付近）に物理的なストレスが生じてしまうおそれがあった。
【０００７】
本発明は斯かる点に鑑みてなされたものであり、その目的は、前足部の前後略中央から先端までの領域で特に中足趾節関節を曲げやすくするとともに、中足趾節関節より後方の前足部後側から後足部に至る領域を安定させるようにすることにある。
【課題を解決するための手段】
【０００８】
上記の目的を達成するために、本発明の第１の形態は、着用者の足裏面を支持するシューズ用アウトソール構造であって、前足部から後足部までの足裏面全体を支持する変形可能な軟質樹脂材からなる第１アウトソール部と、第１アウトソール部の上側に一体的に形成され、かつ該第１アウトソール部よりも剛性が高い硬質樹脂材からなり、中足趾節関節より後方の前足部後側から後足部に至る領域内の足裏面を支持する第２アウトソール部と、を備え、中足趾節関節より後方の前足部後側から中足部までの領域内の第１アウトソール部に位置し、第２アウトソール部の一部を該第１アウトソール部に貫通させて裏面に突出させた前後方向に延びる左右一対のリブが設けられていることを特徴とする。
【０００９】
この第１の形態において、中足趾節関節を含めた前足部の前後略中央から先端までの領域では、変形可能な軟質樹脂材からなる第１アウトソール部により、運動時に前足部の各関節（特に中足趾節関節）を柔軟に曲げることができる。これに対して、中足趾節関節より後方の前足部後側から後足部に至る領域では、第１アウトソール部よりも剛性が高い硬質樹脂材からなる第２アウトソール部により、十分な曲げ剛性を保持しつつ、方向転換などの瞬発的な動作時に生じる足への衝撃を軽減して、シューズ内に前足部後側から後足部に至る領域を安定させることができる。そして、第２アウトソール部が第１アウトソール部の上側に一体的に形成されているため、中足趾節関節を含めた前足部の前後略中央から先端までの領域の上記効果と、中足趾節関節より後方の前足部後側から後足部に至る領域の上記効果とを両立させることが可能となる。さらに、第１の形態では、高剛性の第２アウトソール部の一部からなる左右一対のリブによって、アウトソール構造の全体的な軽量化を図りつつ、中足趾節関節より後方の前足部後側から中足部までの領域における曲げ剛性を向上させることができる。その結果、着用者の中足趾節関節より後方の前足部後側から中足部までの領域における物理的ストレスを抑制することが可能となる。
【００１０】
第２の形態は、第１の形態において、第２アウトソール部の前側部分は、第１ないし第５中足骨の前後略中央から遠位骨頭に至る領域内まで延びかつ該第１ないし第５中足骨を支持するように第１アウトソール部の左右両側まで延びていることを特徴とする。
【００１１】
この第２の形態では、第１アウトソール部により特に中足趾節関節が曲げやすい状態を維持しつつ、高剛性の硬質樹脂材からなる第２アウトソール部により特に第１ないし第５中足骨をシューズ内に安定させることができる。
【００１２】
第３の形態は、第１または第２の形態において、第１アウトソール部の裏面には、前足部領域に複数の第１スタッド部が分散して配列された状態で設けられており、第２アウトソール部の前端部は、平面視において、中足趾節関節より後方に位置する第１スタッド部に部分的に重なっていることを特徴とする。
【００１３】
この第３の形態では、第１スタッド部により地面へのグリップ性を高めることができる。さらに、第２アウトソール部の前端部が平面視において中足趾節関節より後方に配置された第１スタッド部に部分的に重なっていることから、第１アウトソール部と第２アウトソール部との境界が中足趾節関節より後方に位置する第１スタッド部上に配置されることになる。すなわち、第１および第２アウトソール部の境界は、屈曲による変形が極めて小さい第１スタッド部上に重なっている。このため、剛性が互いに異なる第１および第２アウトソール部の境界で応力が集中しにくくなり、その結果、この境界で第２アウトソール部が第１アウトソール部から剥がれにくくなるようにすることができる。
【００１４】
第４の形態は、第１の形態において、左右一対のリブは、前後方向の中央位置が第１ないし第５中足骨の近位骨頭付近に配置されるように構成されていることを特徴とする。
【００１５】
一般的に、サッカーなどのスポーツでは、走行中における方向転換の際に主に前足部でブレーキをかけて捻る動作を繰り返すことで中足骨（特に第５中足骨）の近位骨頭付近に物理的なストレスが蓄積することが知られている。この第４の形態では、左右一対のリブの前後方向における中央位置が第１ないし第５中足骨の近位骨頭付近に配置されるように構成されているため、第１ないし第５中足骨の近位骨頭付近における曲げ剛性をより一層向上させることができる。その結果、中足骨（特に第５中足骨）の近位骨頭付近における物理的なストレスを低減することが可能となる。
【００１６】
第５の形態は、第１または第４の形態において、第１アウトソール部の裏面には、前足部領域に複数の第１スタッド部が、また後足部領域に複数の第２スタッド部がそれぞれ分散して配列された状態で設けられており、左右一対のリブの各々は、平面視において、その前端部が中足趾節関節より後方かつ前足部領域の最後方に位置する第１スタッド部に部分的に重なっている一方、その後端部が後足部領域の最前方に位置する第２スタッド部に部分的に重なっていることを特徴とする。
【００１７】
この第５の形態では、第１および第２スタッド部により地面へのグリップ性を高めることができる。それと同時に、左右一対のリブの各々が中足趾節関節より後方かつ前足部領域の最後方に位置する第１スタッド部および後足部領域の最前方に位置する第２スタッド部にそれぞれ連続しているため、特に中足部領域の曲げ剛性をより一層向上させることができる。
【００１８】
第６の形態は、第１〜第５のいずれか１つの形態において、第１アウトソール部の後側部分の左右両側部ないし後部から上方に踵部を覆うように延びるカウンター部が設けられており、第２アウトソール部の後側部分からカウンター部上端よりも低い位置まで上方に延びて踵部の下側部分を支持する踵支持部が設けられていることを特徴とする。
【００１９】
この第６の形態では、高剛性の踵支持部によって、踵部の下側部分を安定させることができる。さらに、踵支持部よりも上方に延びる低剛性のカウンター部によって、踵部周囲が柔軟に保持されるので、運動時に着用者の足に痛みが生じないようにすることができる。
【００２０】
第７の形態は、第１〜６の形態のいずれか１つのシューズ用アウトソール構造を備えたクリーツシューズであることを特徴とする。
【００２１】
この第７の形態では、第１〜６の形態のいずれか１つの形態と同様の効果を奏するクリーツシューズを提供することができる。
【発明の効果】
【００２２】
以上説明したように、本発明によると、中足趾節関節を含めた前足部の前後略中央から先端までの領域では、運動時に前足部の各関節（特に中足趾節関節）を柔軟に曲げることができる一方、中足趾節関節より後方の前足部後側から後足部に至る領域では、十分な曲げ剛性を保持しつつ、瞬発的な動作時に生じる足への衝撃を軽減して、シューズ内に前足部後側から後足部に至る領域を安定させることができる。
【図面の簡単な説明】
【００２３】
【図１】図１は、本発明の実施形態に係るシューズ用アウトソールを示す斜視図である。
【図２】図２は、本発明の実施形態に係るシューズ用アウトソールを示す平面図である。
【図３】図３は、アウトソールと足の骨格構造との位置関係を模式的に示す平面図である。
【図４】図４は、本発明の実施形態に係るシューズ用アウトソールを示す背面図である。
【図５】図５は、本発明の実施形態に係るシューズ用アウトソールを示す左側面図である。
【図６】図６は、本発明の実施形態に係るシューズ用アウトソールを示す底面図である。
【図７】図７は、アウトソールと足の骨格構造との位置関係を模式的に示す底面図である。
【図８】図８は、図２のVIII−VIII線拡大断面図である。
【図９】図９は、図２のIX−IX線断面図である。
【図１０】図１０は、図２のX−X線拡大断面図である。
【図１１】図１１は、図４のXI−XI線拡大断面図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものではない。
【００２５】
図１〜図１１は、本発明の実施形態に係るシューズ用アウトソール１を示し、このアウトソール１を備えたシューズは、例えばサッカー、ラグビー、アメリカンフットボール、野球などの瞬発的な動作が要求されるスポーツに用いられるクリーツシューズである。ここで、シューズ用アウトソール１は、左足用のアウトソールのみを例示している。右足用のアウトソールは、左足用アウトソールと左右対称になるように構成されているので、以下の説明では左足用アウトソールのみについて説明し、右足用アウトソールの説明は省略する。また、以下の説明において、上方（上側）および下方（下側）とはアウトソール１の上下方向の位置関係を表し、前方（前側）および後方（後側）とはアウトソール１の前後方向の位置関係を表し、左側および右側とはアウトソール１の左右方向の位置関係を表すものとする。さらに、以下の説明において、人体の足における中足骨の近位骨頭とは、体幹（すなわち身体の頭部と四肢を除く胴体部分）に近い側における中足骨の骨頭部分を指し、中足骨の遠位骨頭とは、体幹に遠い側における中足骨の骨頭部分を指す。
【００２６】
図１〜図３に示すように、シューズ用アウトソール１は、着用者の足裏面を支持するものであり、このアウトソール１は、前足部Ｆから後足部Ｈまでの足裏面全体を支持する第１アウトソール部１０を備えている。この第１アウトソール部１０は、例えばナイロン系エラストマーなどの軟質樹脂材からなり、薄肉のプレート状に形成されている。すなわち、第１アウトソール部１０は、比較的曲げ剛性が低く、外力を受けることによって変形可能に構成されている。
【００２７】
また、第１アウトソール部１０の表面（上面）には、中足趾節関節ＭＰを含めた前足部Ｆの前後略中央から先端までの領域で足裏面に当接する第１足裏当接面１１が形成されている。なお、中足趾節関節ＭＰとは、中足骨ＭＴ１〜５の遠位骨頭と基節骨ＰＰ１〜５の近位骨頭との間に存在し、中足骨ＭＴ１〜５と基節骨ＰＰ１〜５とをつなぐ半関節である。さらに、図９にも示すように、第１アウトソール部１０の表面には、後述する第１および第２スタッド１５，１６のそれぞれに対応する位置に凹陥状に形成された丸孔部１２，１２，…が複数設けられている。
【００２８】
図１〜図５に示すように、第１アウトソール部１０の前側および左右両側における外周縁部には、上方に延びる立ち上がり部１３が形成されている。この立ち上がり部１３および後述するカウンター部１４の内側面には、シューズに備えられるアッパー（図示せず）
下部の外側面が固着されるようになっている。
【００２９】
図１〜図５に示すように、第１アウトソール部１０の後側部分には、立ち上がり部１３に連続して立ち上がり部１３よりも上方に延びるカウンター部１４が設けられている。このカウンター部１４は、踵骨ＣＢ（踵部）を左右両側部および後部から覆うように形成されており、その内側面が外方に膨らむように湾曲状に形成されている。また、図１１にも示すように、カウンター部１４の左右両側には、踵骨ＣＢよりも上方に突出して踵骨ＣＢ両側を覆う側壁部１４ａ，１４ａが形成されている一方、カウンター部１４の後側には、側壁部１４ａ，１４ａに連続して踵骨ＣＢ後側を覆う後壁部１４ｂが形成されている。この後壁部１４ｂは、その上端が踵骨ＣＢ上端付近まで延びており、下方に向かって後側に膨らむように円弧状に湾曲している。このように、カウンター部１４は、両側壁部１４ａ，１４ａによって踵部両側をしっかり保持して踵骨ＣＢにおける左右方向のひねり動作を抑制するとともに、後壁部１４ｂによって足首の屈曲動作が妨げられない範囲で踵部後側を保持するように構成されている。
【００３０】
図５〜図７に示すように、第１アウトソール部１０の前足部Ｆ後側から中足部Ｍまでの領域には、後述するリブ２２，２２の各々を下方に突出させるためのリブ貫通孔１８ａ，１８ａが前後方向に延びるように形成され、このリブ貫通孔１８ａ，１８ａの各々に隣接してリブ２２，２２の各々を左右両側から挟み込むように下方に盛り上がったリブ保持部１８ｂ，１８ｂ，…が設けられている（図９および図１０参照）。
【００３１】
第１アウトソール部１０の裏面であって前足部領域Ｆに対応する位置には、下方に突出した円柱状の複数（本実施形態では８つ）の第１スタッド部１５，１５，…が分散して配列された状態で設けられている。具体的には、第１スタッド部１５，１５，…は、左右（内甲側および外甲側）のそれぞれに形成されており、これら左右一対の第１スタッド部１５，１５が前後方向に所定の間隔をあけて並設されている。
【００３２】
また、前足部領域Ｆの略中心（図７に示す第２基節骨ＰＰ２および第３基節骨ＰＰ３付近）には、底面視で略楕円形状の第３スタッド部１７が設けられている。
【００３３】
さらに、第１アウトソール部１０の裏面であって後足部領域Ｈに対応する位置には、下方に突出した円柱状の複数（本実施形態では４つ）の第２スタッド部１６，１６，…が分散して配列された状態で設けられている。具体的には、第２スタッド部１６，１６，…は、左右（内甲側および外甲側）のそれぞれに形成されており、これら左右一対の第２スタッド部１６，１６が前後方向に所定の間隔をあけて並設されている。
【００３４】
第１〜第３スタッド部１５，１６，１７の各々は、例えば熱可塑性ポリウレタンなどの耐摩耗性の高い樹脂材からなる。また、図９に示すように、第１および第２スタッド部１５，１６の各々は、第１アウトソール部１０の各丸孔部１２，１２，…の位置に対応するようにそれぞれ配置されて、例えば射出成形により第１アウトソール部１０の裏面に一体的に成形されている。このような第１〜第３スタッド部１５，１６，１７によって、アウトソール１における地面へのグリップ性が高められる。
【００３５】
次に、図１〜図３に示すように、本発明の特徴として、アウトソール１は、中足趾節関節ＭＰを含まない領域の足裏面、すなわち中足趾節関節ＭＰより後方の前足部Ｆ後側から後足部Ｈに至る領域内の足裏面を支持する第２アウトソール部２０を備えている。この第２アウトソール部２０は、第１アウトソール部１０よりも剛性が高い硬質樹脂材からなり、例えばグラスファイバーが含有されたナイロン等からなる。すなわち、第２アウトソール部２０は、第１アウトソール部１０よりも曲げ剛性が高く、外力を受けても変形しにくいように構成されている。
【００３６】
第２アウトソール部２０は、中足趾節関節ＭＰより後方の前足部Ｆ後側から後足部Ｈに至る領域内の足裏面に当接する第２足裏当接面２１が形成されている。図８に示すように、第２アウトソール部２０は、第２足裏当接面２１が第１アウトソール部１０の第１足裏当接面１１と面一になるように、例えば射出成形によって第１アウトソール部１０の上側に一体的に成形されている。すなわち、本実施形態のアウトソール１では、中足趾節関節ＭＰを含めた前足部Ｆの前後略中央から先端までの領域において、変形可能な軟質樹脂材からなる第１アウトソール部１０の第１足裏当接面１１がアウトソール１上面に露出する一方、中足趾節関節ＭＰより後方の前足部後側から後足部に至る領域において、高剛性の硬質樹脂材からなる第２アウトソール部２０の第２足裏当接面２１がアウトソール１上面に露出するように構成されている。
【００３７】
図３に示すように、第２アウトソール部２０の前側部分は、前後方向において、第１ないし第５中足骨ＭＴ１〜５の前後略中央から遠位骨頭に至る領域内まで延びている。さらに、第２アウトソール部２０の前側部分は、左右方向において、第１ないし第５中足骨ＭＴ１〜５を支持するように第１アウトソール部１０の左右両側まで延びている。
【００３８】
図５〜図７に示すように、第１アウトソール部１０の裏面には、中足趾節関節ＭＰより後方の前足部Ｆ後側から中足部Ｍまでの領域内で前後方向に延びる左右一対のリブ２２，２２が突出している。図９および図１０に示すように、リブ２２，２２の各々は、第２アウトソール部２０の一部が下側に向かって凸状に膨らむように形成されており、第１アウトソール部１０を貫通してその下方に突出した構成となっている。より具体的には、リブ２２，２２の各々は、その下端部が第１アウトソール部１０のリブ貫通孔１８ａ，１８ａを貫通した状態で第１アウトソール部１０の下方に突出するように構成されている。このような第２アウトソール部２０の一部からなるリブ２２，２２では、第１アウトソール部１０の下面に別部材のリブを設ける構成に比べて、アウトソール１の足裏支持面（本実施形態では第２足裏支持面２１）からの突出量をより長く形成することが可能となり、アウトソール１の全体的な軽量化を図りつつ、第２アウトソール部２０の曲げ剛性を向上させることができる。
【００３９】
図５および図９に示すように、リブ２２，２２の各々は、その下端部が第１アウトソール部１０および最後方の第１スタッド部１５の接合箇所と、第１アウトソール部１０および最前方の第２スタッド部１６の接合箇所とを結んだ接合位置Ｊ（図５および図９の一点鎖線を参照）よりも上方に位置するように配設されている。これにより、リブ２２，２２の各々の突出量を最大限に確保しつつ、第１および第２スタッド部１５，１６のグリップ性を損なわないようにすることが可能となる。そして、図６および図１０に示すように、リブ２２，２２の各々は、第１アウトソール部１０のリブ保持部１８ｂ，１８ｂにより左右から挟み込まれて、第１アウトソール部１０に強固に保持されている。
【００４０】
また、図１〜３に示すように、リブ２２，２２の各々の内部（凹部内）には、ハニカム構造２４，２４が形成されている。このハニカム構造２４は、第２アウトソール部２０の第２足裏当接面２１から下方に向けて陥没した正六角形状の複数の隔壁部２３，２３，…（図１０参照）が隙間なく並べられた構造となっている。このハニカム構造２４により、リブ２２内が中空状になってリブ２２の重さが抑えられるとともに、中足趾節関節ＭＰより後方の前足部Ｆ後側から中足部Ｍまでの領域内の曲げ剛性がより一層高められる。なお、図９に示したハニカム構造２４，２４については、図示の便宜上、隔壁部２３，２３，…を省略している。
【００４１】
図６および図７に示すように、内甲側に設けられたリブ２２は、中足趾節関節ＭＰより後方かつ前足部領域Ｆの最後方に位置する内甲側の第１スタッド部１５と後足部領域Ｈの最前方に位置する内甲側の第２スタッド部１６との間に亘って前後方向に沿って延び、中央部分が内甲側から外甲側に向かって膨らむように湾曲している。また、外甲側に設けられたリブ２２は、中足趾節関節ＭＰより後方かつ前足部領域Ｆの最後方に位置する外甲側の第１スタッド部１５と後足部領域Ｈの最前方に位置する外甲側の第２スタッド部１６との間に亘り、前後方向に沿って略直線状に延びている。さらに、リブ２２，２２の各々は、前後方向の中央位置が第１ないし第５中足骨ＭＴ１〜５の近位骨頭付近に配置されるように構成されている。
【００４２】
ここで、図１〜図３に示すように、第２アウトソール部２０の前端部は、平面視において、中足趾節関節ＭＰより後方に位置する第１スタッド部１５，１５に部分的に重なっている。より具体的には、図９に示すように、リブ２２，２２内部に形成されたハニカム構造２４，２４の各々の前端部は、前足部領域Ｆの最後方に配置された第１スタッド部１５，１５の位置に対応する第１アウトソール部１０の丸孔部１２，１２の前後略中央より後側となる半円部分をそれぞれ覆っている。他方、ハニカム構造２４，２４の各々の後端部は、後足部領域Ｈの最前方に配置された第２スタッド部１６，１６の位置に対応する第１アウトソール部１０の丸孔部１２，１２の前後略中央より前側となる半円部分を覆っている。すなわち、リブ２２，２２の各々は、中足趾節関節ＭＰより後方かつ前足部領域Ｆの最後方に位置する第１スタッド部１５，１５および後足部領域Ｈの最前方に位置する第２スタッド部１６，１６にそれぞれ連続している。
【００４３】
上記丸孔部１２の後側の半円部分には、上記ハニカム構造２４，２４の各々の後端に隣接して、半円形状の穴部２５，２５が第２アウトソール部２０にそれぞれ形成されている。また、後足部領域Ｈの最後方の第２スタッド部１６，１６に対応する位置には、第１アウトソール部１０の丸孔部１２，１２と同じ大きさに形成された円状の穴部２６，２６が第２アウトソール部２０にそれぞれ形成されている。
【００４４】
次に、図１〜３に示すように、第２アウトソール部２０の後側部分には、カウンター部１４まで延びて踵骨ＣＢ（踵部）の下側部分を支持する踵支持部２７が設けられている。図１１に示すように、この踵支持部２７は、その表面がカウンター部１４の表面と面一になるようにカウンター部１４の上側に一体的に形成されている。そして、踵支持部２７の左右両側には、上方に突出して踵骨ＣＢ両側の下側部分を覆う側壁部２７ａ，２７ａが形成されている一方、踵支持部２７の後側には、側壁部２７ａ，２７ａに連続して踵骨ＣＢ後側の下側部分を覆う後壁部２７ｂが形成されている。
【００４５】
踵支持部２７は、カウンター部１４上端よりも低い位置まで上方に延びるように形成されている。より具体的には、図１１に示すように、踵支持部２７の後壁部２７ｂ上端は、側面視で踵骨ＣＢ後端が後方に向かって最も盛り上がった部分の位置（すなわち図１１に示す一点鎖線ｈの位置）まで上方に延びている。また、踵支持部２７の側壁部２７ａ上端は、後壁部２７ｂ上端よりも上方に延びている。
【００４６】
以上のように、本実施形態に係るシューズ用アウトソール１によると、中足趾節関節ＭＰを含めた前足部Ｆの前後略中央から先端までの領域では、変形可能な軟質樹脂材からなる第１アウトソール部１０により、運動時に前足部領域Ｆに存在する各関節（特に中足趾節関節ＭＰ）を柔軟に曲げることができる。これに対して、中足趾節関節ＭＰより後方の前足部Ｆ後側から後足部Ｈに至る領域では、第１アウトソール部１０よりも剛性が高い硬質樹脂材からなる第２アウトソール部２０により、十分な曲げ剛性を保持しつつ、方向転換などの瞬発的な動作時に生じる足への衝撃を軽減して、シューズ内に前足部Ｆ後側から後足部Ｈに至る領域を安定させることができる。そして、本実施形態のアウトソール１では、第２アウトソール部２０が第１アウトソール部１０の上側に一体的に形成されているため、中足趾節関節ＭＰを含めた前足部Ｆの前後略中央から先端までの領域の上記効果と、中足趾節関節ＭＰより後方の前足部Ｆ後側から後足部Ｈに至る領域の上記効果とを両立させることが可能となる。
【００４７】
また、第２アウトソール部２０の前側部分が第１ないし第５中足骨の前後略中央から遠位骨頭に至る領域内まで延びかつ第１ないし第５中足骨ＭＴ１〜５を支持するように第１アウトソール部１０の左右両側まで延びているため、第１アウトソール部１０により特に中足趾節関節ＭＰが曲げやすい状態を維持しつつ、高剛性の第２アウトソール部２０により特に第１ないし第５中足骨ＭＴ１〜５をシューズ内に安定させることができる。
【００４８】
また、第２アウトソール部２０の前端部が平面視において中足趾節関節ＭＰより後方に位置する第１スタッド部１５，１５に部分的に重なっていることから、第１アウトソール部１０と第２アウトソール部２０との境界が中足趾節関節ＭＰより後方に位置する第１スタッド部１５，１５上に配置されることになる。すなわち、第１および第２アウトソール部１０，２０の境界は、屈曲による変形が極めて小さい第１スタッド部１５，１５上に重なっている。このため、剛性が互いに異なる第１および第２アウトソール部１０，２０の境界で応力が集中しにくくなり、その結果、この境界で第２アウトソール部２０が第１アウトソール部１０から剥がれにくくなる。
【００４９】
また、本実施形態では、高剛性の第２アウトソール部２０の一部からなる左右一対のリブ２２，２２により、アウトソール１の全体的な軽量化を図りつつ、中足趾節関節ＭＰより後方の前足部Ｆ後側から中足部Ｍまでの領域における曲げ剛性を向上させることができる。その結果、着用者の中足趾節関節ＭＰより後方の前足部Ｆ後側から中足部Ｍまでの領域における物理的ストレスを抑制することが可能となる。
【００５０】
また、リブ２２，２２の前後方向の中央位置が第１ないし第５中足骨ＭＴ１〜５の近位骨頭付近に配置されているため、第１ないし第５中足骨ＭＴ１〜５の近位骨頭付近における曲げ剛性をより一層向上させることができる。その結果、走行中における方向転換の際に前足部Ｆでブレーキをかけて捻る動作を繰り返すことで中足骨ＭＴ（特に第５中足骨ＭＴ５）の近位骨頭付近における物理的なストレスを低減することが可能となる。
【００５１】
そして、リブ２２，２２の各々は、平面視において、その前端部が中足趾節関節ＭＰより後方かつ前足部領域Ｆの最後方に位置する第１スタッド部１５，１５に部分的に重なっている一方、その後端部が後足部領域Ｈの最前方に位置する第２スタッド部１６，１６に部分的に重なっている。すなわち、リブ２２，２２の各々が中足趾節関節ＭＰより後方かつ前足部領域Ｆの最後方に位置する第１スタッド部１５，１５および後足部領域Ｈの最前方に位置する第２スタッド部１６，１６にそれぞれ連続している。このため、特に中足部領域Ｍの曲げ剛性をより一層向上させることができる。
【００５２】
また、本実施形態では、高剛性の踵支持部２７によって、踵骨ＣＢ（踵部）の下側部分を安定させることができる。さらに、低剛性のカウンター部１４によって、踵部周囲が柔軟に保持されるので、着用者の足に痛みが生じないようにすることができる。
【００５３】
［その他の実施形態］
上記実施形態では、平面視で内甲側のリブ２２前端部が前足部領域Ｆの最後方に位置する第１スタッド部１５に部分的に重なっている形態を示したが、この形態に限られない。例えば、内甲側のリブ２２前端部が図１〜図３に示すような前足部領域Ｆの内甲側の前から３つ目に位置する第１スタッド部１５に部分的に重なっていてもよい。要は、第２アウトソール部２０の前端部が平面視で中足趾節関節ＭＰより後方に位置する第１スタッド部１５に部分的に重なっている形態であればよい。
【００５４】
また、上記実施形態では、カウンター部１４および踵支持部２７を設けた形態を示したが、この形態に限られない。すなわち、アウトソール１（アウトソール構造）は、カウンター部１４を有しない第１アウトソール部１０と、踵支持部２７を有しない第２アウトソール部２０と、を備える形態であってもよい。
【００５５】
以上、本発明についての実施形態を説明したが、本発明は上述の実施形態のみに限定されず、発明の範囲内で種々の変更が可能である。
【産業上の利用可能性】
【００５６】
本発明は、例えばサッカー、ラグビー、アメリカンフットボール、野球などの瞬発的な動作を要するスポーツに用いられるクリーツシューズとして産業上の利用が可能である。
【符号の説明】
【００５７】
１：アウトソール（シューズ用アウトソール構造）
１０：第１アウトソール部
１４：カウンター部
１５：第１スタッド部
１６：第２スタッド部
２０：第２アウトソール部
２２：リブ
２４：ハニカム構造
２７：踵支持部
Ｆ：前足部
Ｍ：中足部
Ｈ：後足部
ＭＰ：中足趾節関節
ＰＰ：基節骨
ＭＴ：中足骨
ＣＢ：踵骨（踵部）
【手続補正２】
【補正対象書類名】特許請求の範囲
【補正対象項目名】全文
【補正方法】変更
【補正の内容】
【特許請求の範囲】
【請求項１】
着用者の足裏面を支持するシューズ用アウトソール構造であって、
前足部から後足部までの足裏面全体を支持する変形可能な軟質樹脂材からなる第１アウトソール部と、
前記第１アウトソール部の上側に一体的に形成され、かつ該第１アウトソール部よりも剛性が高い硬質樹脂材からなり、中足趾節関節より後方の前足部後側から後足部に至る領域内の足裏面を支持する第２アウトソール部と、を備え、中足趾節関節より後方の前足部後側から中足部までの領域内の前記第１アウトソール部に位置し、前記第２アウトソール部の一部を該第１アウトソール部に貫通させて裏面に突出させた前後方向に延びる左右一対のリブが設けられている、シューズ用アウトソール構造。
【請求項２】
請求項１に記載のシューズ用アウトソール構造において、
前記第２アウトソール部の前側部分は、第１ないし第５中足骨の前後略中央から遠位骨頭に至る領域内まで延びかつ該第１ないし第５中足骨を支持するように前記第１アウトソール部の左右両側まで延びている、シューズ用アウトソール構造。
【請求項３】
請求項１または２に記載のシューズ用アウトソール構造において、
前記第１アウトソール部の裏面には、前足部領域に複数の第１スタッド部が分散して配列された状態で設けられており、
前記第２アウトソール部の前端部は、平面視において、中足趾節関節より後方に位置する前記第１スタッド部に部分的に重なっている、シューズ用アウトソール構造。
【請求項４】
請求項１に記載のシューズ用アウトソール構造において、
前記左右一対のリブは、前後方向の中央位置が第１ないし第５中足骨の近位骨頭付近に配置されるように構成されている、シューズ用アウトソール構造。
【請求項５】
請求項１または４に記載のシューズ用アウトソール構造において、
前記第１アウトソール部の裏面には、前足部領域に複数の第１スタッド部が、また後足部領域に複数の第２スタッド部がそれぞれ分散して配列された状態で設けられており、
前記左右一対のリブの各々は、平面視において、その前端部が中足趾節関節より後方かつ前足部領域の最後方に位置する前記第１スタッド部に部分的に重なっている一方、その後端部が後足部領域の最前方に位置する前記第２スタッド部に部分的に重なっている、シューズ用アウトソール構造。
【請求項６】
請求項１〜５のいずれか１項に記載のシューズ用アウトソール構造において、
前記第１アウトソール部の後側部分の左右両側部ないし後部から上方に踵部を覆うように延びるカウンター部が設けられており、
前記第２アウトソール部の後側部分から前記カウンター部上端よりも低い位置まで上方に延びて踵部の下側部分を支持する踵支持部が設けられている、シューズ用アウトソール構造。
【請求項７】
請求項１〜６のいずれか１項に記載のシューズ用アウトソール構造を備えた、クリーツシューズ。